【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】  クランプ帯（１１）と、前記クランプ帯に設けられた締付け具（１３）とを備え、この締付け具が架橋部（１６）により相互連結された外側に延びる脚部分（１４，１５）を有していて、塑性変形可能な耳の形をしており、
前記クランプ帯と前記脚部分の間の各々の連結領域において、締め付け工具を適切に使用することを保証するための構造（３０；１９，１９′，１２，１２′）が設けられているホースクランプ。
【請求項２】  前記構造が、前記領域において案内プロファイル手段（３０；１９，１９′）を備えており、これらの案内プロファイル手段が、対応する案内プロファイル手段（２２）を備えた締付け工具により認識可能な予め決められた断面を有していることを特徴とする請求項１記載のホースクランプ。
【請求項３】  前記案内プロファイル手段（３０；１９，１９′）が、クランプ帯の中央領域に設けられていることを特徴とする請求項２記載のホースクランプ。
【請求項４】  前記案内プロファイル手段（３０；１９，１９′）が、冷間加工および深絞り加工された部分であり、これらの部分が前記各々の領域内でクランプ帯のほぼ長手方向に延びていることを特徴とする請求項２記載のホースクランプ。
【請求項５】  深絞り加工された部分の各々がエンボシング形状であることを特徴とする請求項５記載のホースクランプ。
【請求項６】  前記エンボシングがほぼＶ字型であることを特徴とする請求項５記載のホースクランプ。
【請求項７】  前記案内プロファイル手段（３０）が前記脚部分の連結領域のクランプ帯に形成されていることを特徴とする請求項２記載のホースクランプ（図２および３）。
【請求項８】  前記クランプ帯が塑性変形可能な耳構造体（１３）を有している外側クランプ帯部分（１１ａ）を形成するためのクランプ帯部分と、前記外側クランプ帯部分とオーバーラップする内側クランプ帯部分（１１ｂ）を形成するためのクランプ帯部分とを備えていること、および案内プロファイル手段がプレス加工され深絞り加工された外側に延びている部分（１９，１９′，３０′）を有しており、この部分が内側および外側のクランプ帯部分の少なくとも一つにおいて、クランプ帯のほぼ長手方向に延びていることを特徴とする請求項２記載の開放型ホースクランプ。
【請求項９】  深絞り加工された部分（１９，１９′）が内側のクランプ帯部分（１１ｂ）に設けられていることを特徴とする請求項８記載のホースクランプ。
【請求項１０】前記深絞り加工された部分（１９，１９′）が前記外側クランプ帯部分（１１ａ）のスロット状開口部（１２，１２′）を通って延びていることを特徴とする請求項９記載のホースクランプ。
【請求項１１】外側クランプ帯部分のスロット状開口部が、外側クランプ帯部分の自由端部に向い合った脚部分側で、耳構造体の塑性変形が最大塑性変形量に達する間、深絞り加工された部分が延びるのに十分な長さを有していることを特徴とする請求項１０記載のホースクランプ。
【請求項１２】前記深絞り加工された部分（３０′）が外側クランプ帯部分にのみ設けられていることを特徴とする請求項８記載のホースクランプ。
【請求項１３】前記深絞り加工された部分（１９，３０′）が、内側および外側クランプ帯部分の両方に設けられており、かつ内側クランプ帯部分の深絞り加工された部分が、外側クランプ帯部分の下方から深絞り加工された部分の中に延びるような対応する形状を有していることを特徴とする請求項８記載のホースクランプ。
【請求項１４】プレス加工された部分（１９，１９′，３０′）の断面が少なくともほぼＶ字型であることを特徴とする請求項８記載のホースクランプ。
【請求項１５】締付け工具があご状部分（２１，１２１）を備え、これらのあご状部分が塑性変形可能な耳構造体（１３）の二つの脚部分（１４，１５）とホースクランプのクランプ帯（１１）との連結領域に係合作用可能であり、
締め付け工具の適切な位置を示すために前記あご部分および前記連結領域（３０，１９，１９′，３０）に案内手段（２２，１３０）を備え、前記案内手段があご状部分および前記クランプ帯と前記脚部分との連結領域に案内プロファイル手段を有しており、さらに前
記案内プロファイル手段がほぼ互いに対応する形状である締付け工具を正しく使用することを保証するための構造。
【請求項１６】前記案内プロファイル手段が互いに並列している場合、前記塑性変形可能な耳構造体に対する前記あご状部分の適切な位置を示すために、前記案内プロファイル手段がほぼ対応するオスおよびメスの形状であることを特徴とする請求項１５記載の構造。
【請求項１７】前記連結領域内部のクランプ帯内の案内プロファイル手段が、クランプ帯の中央領域内に設けられていることを特徴とする請求項１５記載の構造。
【請求項１８】締付け工具における案内プロファイル手段が、あご状部分の端部領域内に設けられていることを特徴とする請求項１５記載の構造。
【請求項１９】前記案内プロファイル手段（３０，３０‘）が脚部分に連結されたクランプ帯部分に直接設けられていることを特徴とする請求項１５記載の構造。
【請求項２０】前記クランプ帯部分が塑性変形可能な耳構造体（１３）を備えた外側のクランプ帯部分（１１ａ）を形成するためのクランプ帯部分と、前記外側クランプ帯部分とオーバーラップしかつ耳構造体の下側で隙間を架橋することが可能であるような内側クランプ帯部分（１１ｂ）を形成するためのクランプ帯部分とを有しており、
前記案内プロファイル手段（３０′，１９，１９′）が、前記外側クランプ帯部分の外側へ延びていることを特徴とする請求項１５記載の構造。
【請求項２１】前記案内プロファイル手段（１９，１９′）が内側クランプ帯部分（１１ｂ）に形成され、かつ前記領域内で外側クランプ帯部分（１１ａ）のスロット状開口部（１２，１２′）を通って延びていることを特徴とする請求項２０記載の構造。
【請求項２２】前記案内プロファイル手段（３０′）の少なくとも幾つかが外側クランプ帯部分に設けられていることを特徴とする請求項２０記載の構造。
【請求項２３】前記案内プロファイル手段（１９′）の幾つかが内側のクランプ帯部分に設けられ、これらの案内プロファイル手段が下方から外側のクランプ帯部分の案内プロファイル手段の中に達することができるような対応する形状であることを特徴とする請求項２２記載の構造。
【請求項２４】ホースクランプのオス側案内プロファイル手段（３０；１９，１９′，３０′）がクランプ帯手段から外側に突出している尾根状のオス側部分であり、あご状の部分の案内プロファイル手段が、オス側部分にほぼ対応する形状の溝状のメス側切り欠き（２２，１３０）であることを特徴とする請求項１５記載の構造。
【請求項２５】前記尾根状部分と前記溝状の部分が、各々高さと深さに関して異なる寸法の、ほぼＶ字型の横断面であることを特徴とする請求項２４記載の構造。
【請求項２６】クランプのオス側案内プロファイル（１９，１９′，３０，３０′）が締付け工具のメス側案内プロファイルと係合する際に、クランプのオス側案内プロファイル（１９，１９′，３０，３０′）を備え、これらの案内プロファイルが締付け工具の適切な位置を決めるために、締付け工具のメス側案内プロファイルと係合するようになっている、クランプの塑性変形可能な耳構造体における、締付け工具の不適切な装着を最小限に抑えるための案内構造。
【請求項２７】耳構造体に対する締付け工具の適切な位置決めが、取付け作業者により相互作用的に行われるように構成されていることを特徴とする請求項２６記載の構造。
【請求項２８】耳構造体に対する締付け工具の適切な位置決めが、オス側案内プロファイルを締付け工具の予め決められた位置と比較するする光学的手段により行われるように構成されていることを特徴とする請求項２６記載の構造。
【請求項２９】締付け工具がロボットアームに固定搭載されており、このロボットアームがオス側案内プロファイルの実際の位置を測定する光学手段と、オス側案内プロファイルの実際の位置をロボットアームの正しい位置と比較している手段と、前記正しい位置と実際の位置を合致させるためにロボットアームを調整するための手段とを備えていることを特徴とする請求項２６記載の案内構造。